(57)【要約】【課題】歩行者や作業者等が建築物の通路を通る際に、歩行者や作業者等歩行の妨げを防止できる足場渡り梯子を提供する。【解決手段】管部材１０３，１０５，１０７を有する仮設足場１０１に連結される足場渡り梯子１であって、前記管部材１０３に取り付け可能な第１の端部３４と、地面Ｆに載置可能な第２の端部３３とを有する脚部材３と、前記管部材１０７に取り付け可能な天板一端部５２と前記脚部材３の第３の端部３１に連結される天板他端部５１とを有する天板部材５と、を備え、前記脚部材３の仮想中心線Ｔ１が、前記管部材１０３の仮想中心線Ｔ２に平行に延びるように前記脚部材３と前記天板部材５が連結されている。【選択図】図１
2020070670.tif 000002
【特許請求の範囲】
【請求項１】
管部材を有する仮設足場に連結される足場渡り梯子であって、
前記管部材に取り付け可能な第１の端部と、地面に載置可能な第２の端部とを有する脚部材と、
前記管部材に取り付け可能な天板一端部と前記脚部材の第３の端部に連結される天板他端部とを有する天板部材と、を備え、
前記脚部材の仮想中心線が、前記管部材の仮想中心線に平行に延びるように前記脚部材と前記天板部材が連結されていることを特徴とする足場渡り梯子。
【請求項２】
前記脚部材が地面に接離できるように、前記脚部材が伸縮可能であることを特徴とする請求項１に記載の足場渡り梯子。
【請求項３】
前記天板部材は、踏板と前記踏板に対し摺動可能に係合する移動板とを有し、前記踏板と前記移動板とが相対移動することにより前記天板部材の奥行寸法が調整可能であることを特徴とする請求項１又は２に記載の足場渡り梯子。
【請求項４】
前記天板部材への進入を防ぐための立入阻止部材を備え、前記天板部材に対して傾斜する方向に起立可能であることを特徴とする請求項１〜３のいずれか一項に記載の足場渡り梯子。
【請求項５】
前記脚部材への進入を防ぐために前記脚部材を覆う覆い部材を備えることを特徴とする請求項１〜４のいずれか一項に記載の足場渡り梯子。
【請求項６】
前記脚部材は、折り畳み可能な脚柱部から構成されていることを特徴とする請求項１〜４のいずれか一項に記載の足場渡り梯子。
【発明の詳細な説明】
【技術分野】
【０００１】
本発明は、集合住宅、戸建て等の建築物の作業を行う際に用いられる仮設足場へ作業者が移動するために利用される足場渡り梯子に関するものである。
【背景技術】
【０００２】
例えば、特許文献１に開示される工事用梯子装置（１）は、仮設足場（Ｃ）の鋼製踏板（Ｎ）に着脱可能に取付けられる踏板部（２）と、踏板部（２）に回動可能に支持され、使用時に起立位置に固定される手掛り棒（３）と、踏板部（２）に回動可能に支持される長さ調節可能な梯子部（４）とを有する。梯子部（４）は、使用時にベランダ（Ｂ）の床（Ｆ）に接地され、不使用時に上方に回動してベランダ（Ｂ）の屋外側に退避される。また、梯子部（４）は踏板部（２）に上下動可能に取付けられ、梯子部（２）の不使用時に梯子部（４）はベランダ（Ｂ）の上方域に退避させるように構成されている。
【先行技術文献】
【特許文献】
【０００３】
【特許文献１】特開2018-9335号公報
【発明の概要】
【発明が解決しようとする課題】
【０００４】
特許文献１に開示される工事用梯子装置では、仮設足場（Ｃ）に装着される踏板部（２）に支持される梯子部（４）が、手摺（Ｄ）に対して傾斜する方向に延在している。従って、仮設足場（Ｃ）へ渡る作業者が梯子部（４）を使用しているため、床（Ｆ）に梯子部（４）が床（Ｆ）に接地されている場合には、床（Ｆ）を通る歩行者や作業者等の歩行の妨げとなる恐れがある。
【０００５】
本発明は、かかる事情に鑑みてなされたものである。すなわち、本発明は、上記課題を解決するため、歩行者や作業者等が建築物の通路を通る際に、歩行者や作業者等歩行の妨げを防止できる足場渡り梯子を提供することを目的とする。
【課題を解決するための手段】
【０００６】
上述した課題を解決し、目的を達成するために、本発明の足場渡り梯子の第１の態様は、管部材を有する仮設足場に連結される足場渡り梯子であって、前記管部材に取り付け可能な第１の端部と、地面に載置可能な第２の端部とを有する脚部材と、前記管部材に取り付け可能な天板一端部と前記脚部材の第３の端部に連結される天板他端部とを有する天板部材と、を備え、前記脚部材の仮想中心線が、前記管部材の仮想中心線に平行に延びるように前記脚部材と前記天板部材が連結されている。
【０００７】
また、本発明の足場渡り梯子の第２の態様によれば、第１の態様の足場渡り梯子であって、前記脚部材が地面に接離できるように、前記脚部材が伸縮可能である。
【０００８】
本発明の足場渡り梯子の第３の態様によれば、第１又は第２の態様の足場渡り梯子であって、前記天板部材は、踏板と前記踏板に対し摺動可能に係合する移動板とを有し、前記踏板と前記移動板とが相対移動することにより前記天板部材の奥行寸法が調整可能である。
【０００９】
本発明の足場渡り梯子の第４の態様によれば、第１乃至第３の態様のいずれかの足場渡り梯子であって、前記天板部材への進入を防ぐための立入阻止部材を備え、前記天板部材に対して傾斜する方向に起立可能である。
【００１０】
本発明の足場渡り梯子の第５の態様によれば、第１乃至第４の態様のいずれかの足場渡り梯子であって、前記脚部材への進入を防ぐために前記脚部材を覆う覆い部材を備える。
【００１１】
本発明の足場渡り梯子の第６の態様によれば、第１乃至第５の態様のいずれかの足場渡り梯子であって、前記脚部材は、折り畳み可能な脚柱部から構成されている。
【発明の効果】
【００１２】
本発明の足場渡り梯子の脚部材が、仮設足場の管部材が延びる方向に沿って延在するので、足場渡り梯子が、歩行者が通る建築物の床等に接地する領域を最小限に抑えることができ、床を通る歩行者や作業者等の歩行の妨げを防止することができる。
【図面の簡単な説明】
【００１３】
【図１】（Ａ）は、本発明の実施例に係る足場渡り梯子の正面図であり、（Ｂ）は、図１（Ａ）のＩＢ−ＩＢ矢視図であり、（Ｃ）は、図１（Ａ）のＩＣ−ＩＣ矢視図であり、（Ｄ）は、図１（Ａ）の平面図である。
【図２】折り畳まれた状態の足場渡り梯子を示す側面図である。
【図３】図１に示される足場渡り梯子が仮設足場に装着された状態を示す斜視図である。
【発明を実施するための形態】
【００１４】
以下に、本発明の実施例に係る足場渡り梯子について図面を参照しつつ説明する。尚、図面において同一部分は同一符号で示してある。以下説明する実施例は例示として説明するものであり、本発明を限定するものではないことは言うまでもない。
【００１５】
〔実施例〕
図１（Ａ）は、本発明の実施例に係る足場渡り梯子１の正面図であり、図１（Ｂ）は、図１（Ａ）のＩＢ矢視図であり、図１（Ｃ）は、図１（Ａ）のＩＣ矢視図であり、図１（Ｄ）は、図１（Ａ）の平面図であり、図２は、折り畳まれた状態の足場渡り梯子１を示す側面図であり、図３は、仮設足場１０１に装着されている状態である図１に示される足場渡り梯子１の斜視図である。
【００１６】
本実施例の足場渡り梯子１は、主として、管部材１０３（図３参照。）に取り付け可能な第１の端部３４と地面（本実施例では、建築物の床面Ｆ）に載置可能な第２の端部３３とを有する脚部材３と、管部材１０７（図３参照。）に取り付け可能な天板一端部５２と脚部材３の第３の端部３１に連結される天板他端部５１とを有する天板部材５と、を備える。さらに、脚部材３の長手方向に延び、水平断面の中心を通る仮想中心線Ｔ１（図３参照。）は、管部材１０３の長手方向に延び、水平断面の中心を通る仮想中心線Ｔ２（図３参照。）に平行になるように構成されている。
【００１７】
脚部材３は、図１（Ａ）の上下方向に互いに平行に延材する２つの脚柱部３０，３０と、脚柱部３０，３０を図１（Ａ）の左右方向に連結する柱状部材である４つの連結部３２，３２，３２，３２と、を有する。連結部３２は、作業者が足を載せ、脚部材３を登るための梯子として機能する。脚柱部３０は、脚柱部３０の図１（Ａ）〜（Ｃ）中の上方に位置する第３の端部３１と、図１（Ａ）中の下方に位置する第２の端部３３と、を有する。また、脚柱部３０の第２の端部３３内には、第２の端部３３の開口する下端部から突出したり、第２の端部３３内に戻ったりする伸縮部３５が配置されている。
【００１８】
本実施形態の脚柱部３０は、Ｃ字状部材である２つの脚柱構成部３００と、２つの脚柱構成部３００を折り畳め可能に連結する連結金具７１，７１とを有する。連結金具７１の一端部は、脚柱構成部３００の一端部に装着され、連結金具７１の他端部は、軸部材７７に軸支されている。従って、２つの連結金具７１の他端部が軸部材７７に軸支されることにより、図２に示されるに、下方の脚柱構成部３００（図１（Ｂ）参照。）が上方の脚柱構成部３００へ近づく方向に揺動可能である。
【００１９】
また、図１（Ｂ）に示されるように、脚柱部３０が、直立している状態において、２つの脚柱構成部３００，３００を固定するために、クランプ部７３が突出するクランプ係合部７５に係止される。さらに、図１（Ｂ）に示されるように、下方の脚柱構成部３００が折り畳まれた状態の足場渡り梯子１は、側面視において、脚柱構成部３００及び天板部材５の長さ寸法がほぼ同じに寸法付されている構成であるので、作業者が足場渡り梯子１を運搬することが容易である。
【００２０】
脚柱部３０の伸縮部３５は、地面（図３の床面Ｆに対応。）に設置可能なベース３５１と、ベース３５１に連結される支持部３５３とを有する。ベース３５１は、ほぼ円錐台形状であり、図１（Ｂ）、（Ｃ）のＨ方向下方に関し、直径寸法が漸増するように寸法付けされている。また、支持部３５３は、脚柱部３０の内部空間に入れ子式に摺動可能に装着される。さらに、支持部３５３には、複数の固定用穴３５５がその長手方向に等間隔に設けられている。また、ベース３５１は、支持部３５３に連結されている連結部材の球状部を揺動可能に保持することにより、ベース３５１に対し支持部３５３の角度が調整可能である。従って、設置する床面Ｆ（図３参照。）が傾斜する場合であっても確実にベース３５１が床面Ｆに当接できる。
【００２１】
さらに、脚柱部３０には、貫通穴３７が設けられ、連結部３２に装着されている固定棒３９が貫通穴３７を介し固定用穴３５５に挿入されると、支持部３５３が脚柱部３０に固定され、伸縮部３５の長手方向長さが設定される。なお、支持部３５３と脚柱部３０は、同心に構成されている。
【００２２】
天板部材５は、仮設足場１０１へ渡るための足台として機能し、連結部３２を登る作業者の足が載る。また、天板部材５は、脚柱部３０の第３の端部３１に枢動可能に装着されている。天板部材５は、踏板基部５１と、踏板基部５１に対し摺動可能に連結されている踏板伸縮部５２とを有する。踏板基部５１及び踏板伸縮部５２は、図１（Ｄ）の平面視において四角形状の板状部材から構成されている。
【００２３】
踏板伸縮部５２の一端部（天板一端部）には、仮設足場１０１を構成する管部材１０３に係合可能な第１の係合部材５３が設けられている。本実施例の第１の係合部材５３は、Ｃ字状のフック部材と、フック部材の湾曲する開口を狭めるための閉鎖部材と、を有する。当該フック部材が管部材１０７の外周面に係合させた状態で、当該閉鎖部材によりフック部材の開口を閉鎖することにより、第１の係合部材５３が管部材１０３に嵌合し、第１の係合部材５３が予期せずに管部材１０７から脱離することを防止できる。
【００２４】
踏板伸縮部５２は、踏板基部５１の凸部に対し摺動可能に装着される凹部を有し、踏板伸縮部５２が、踏板基部５１に対し図１（Ｄ）の矢印Ｄ方向（奥行方向）に移動可能である。さらに、踏板伸縮部５２は、その上面に突出部を有し、踏板伸縮部５２を貫通する伸縮固定穴５７に当該突出部が収容されると、踏板伸縮部５２の移動が踏板基部５１により係止される。このように、踏板伸縮部５２を図１（Ｂ）の左右方向に移動することにより、天板部材５の矢印Ｄ方向の寸法を調整することができる。
【００２５】
踏板基部５１の他端部には、支持部８１が連結されており、支持部８１は、脚柱部３０の第３の端部３１に連結支持部３８を介し枢動可能に連結されているとともに、支持部８１が所定位置で固定できるように構成されている。従って、図１（Ｂ）、（Ｃ）に示されるように、踏板基部５１は脚柱部３０に対し、約９０度の角度で固定可能である。また、支持部８１を枢動することにより、天板部材５が、脚柱部３０に近接した状態で、第１の端部３４に枢動可能に装着されている係止部材６２が、移動板７の突起部６３に係止できる。このように、移動板７と脚柱部３０とが固定できるので、足場渡り梯子１の運搬が容易となる。なお、本実施形態では、踏板基部５１が脚柱部３０に対する角度は、９０度に設定できるように構成されているが、その設定角度は、適宜変更できることは言うまでもない。
【００２６】
図１（Ａ）に示されるように、左右の脚柱部３０，３０それぞれには、第２の係合部材４１，４１が装着されている。第２の係合部材４１は、開閉可能なＣ字状のクランプ部材から構成されている。第２の係合部材４１が、管部材１０３（図３参照。）の外周面に係合するようにボトル等の締結部材により固定される。
【００２７】
さらに、踏板基部５１は、その脚部材３に近い端部に、移動板７が枢動可能に装着されている。図１（Ｂ）、（Ｃ）に示されるように、移動板７は、踏板基部５１に対し垂直方向に起立状態を維持できるように枢動可能に構成されている。移動板７が立設された状態では、天板部材５への進入を防ぐための立入阻止部材として機能する。
【００２８】
さらに、本実施例の足場渡り梯子１には、脚部材３への進入を防ぐための覆い部材６１が装着可能である（図１（Ａ）参照。）。覆い部材６１は、脚部材３を構成する複数の連結部３２の全体を覆うような正面視において四角形状の垂れ幕状の部材から構成され、覆い部材６１の端部が、脚柱部３０に既知の固定部材により固定される。覆い部材６１を利用することで、子供等の予期しない侵入者が連結部３２を登り、足場渡り梯子１を使用することを防止できる。なお、本実施例の覆い部材６１は、全ての連結部３２を覆う構成であるが、図１（Ａ）の下方側に配置される１又は２つの連結部のみを覆う構成など、適宜変更できることは言うまでもない。
【００２９】
〔使用態様〕
図３を参照しつつ足場渡り梯子１を、仮設足場１０１に装着する工程について説明する。図３は、図１（Ａ）〜（Ｄ）に示される足場渡り装置１が仮設足場１０１に装着された状態を示す斜視図である。
【００３０】
図３に示されるように、仮設足場１０１を構成し水平方向に延びる管部材１０７に天板部材５の第１の係合部材５３，５３が係合される。また、第２の係合部材４１が、仮設足場１０１を構成し鉛直方向に延びる管部材１０３に係合される。第１及び第２の係合部材５３，４１が管部材１０７，１０３に係合させることにより、足場渡り梯子１が仮設足場１０１に固定される。
【００３１】
また、図３の足場渡り梯子１は、伸縮部３５が床面Ｆに接地しない状態である。このように伸縮部３５が床面Ｆから離間している状態であっても、第１及び第２の係合部材５３，４１が管部材１０７，１０３に固定されているので、作業者が足場渡り梯子１を利用し、仮設足場１０１に移動することができる。また、この状態では、伸縮部３５が床面Ｆから離間しているので、床面Ｆを歩行する歩行者、作業者等の歩行を足場渡り梯子１が妨げることを防止できる。
【００３２】
他方、足場渡り梯子１の伸縮部３５が床面（本実施例では通路面）Ｆ上に接地するように固定棒３９により支持部３５３の長さが設定されると、足場渡り梯子１の耐荷重が増加できるので、作業者が相対的に荷重の大きい荷物を運搬する場合にも足場渡り梯子１を利用できる。
【００３３】
本実施例では、建築物の手摺Ｇがほぼ鉛直方向に延在する構成である。また、仮設足場１０１の管部材１０３は、鉛直方向に延びる構成である。従って、管部材１０３の仮想中心線Ｔ２に平行な脚柱部３０の仮想中心線Ｔ１は、鉛直方向に延在する。足場渡り梯子１と手摺Ｇが上記の位置関係を呈することにより、脚部材３が有する支持部３５３が延び、ベース３５１が床面Ｆに接する状態であっても、支持部３５３が手摺Ｇに近接し配置されるので、歩行者や作業者の走行を、足場渡り梯子１が妨げることを防止できる。
【００３４】
また、本実施例では、手摺Ｇが鉛直方向に延在する構成であり、また、管部材１０５，１０７が鉛直方向に延在する構成あるため、脚柱部３０が鉛直方向に延在する構成としているが、手摺Ｇが鉛直方向に対し傾斜している場合には、例えば管部材１０７を手摺Ｇに平行に配置することにより、脚柱部３０が手摺Ｇに対し平行に配置することが可能であることは言うまでもない。このように手摺Ｇに平行に脚柱部３０を配置することにより、歩行者や作業者の走行を、足場渡り梯子１が妨げることを防止できる。
【００３５】
なお、本実施例は、２つの脚柱部３０、４つの連結部３２、２つの第１の係合部材５３、４つの第２の係合部材４１を備える構成であるが、本発明は当該構成に限定されず、脚柱部、連結部、係合部材の数は適宜変更できることは言うまでもない。
【００３６】
以上、本発明の実施例について説明したが、本発明はこれらの実施例に限定されず、その要旨の範囲内で種々の変形及び変更が可能である。
【符号の説明】
【００３７】
１  足場渡り梯子
３  脚部材
５  天板部材
７  移動板
３０  脚柱部
３１  第３の端部
３２  連結部
３３  第２の端部
３４  第１の端部
３５  伸縮部
３７  貫通穴
３８  連結支持部
３９  固定棒
４１  第２の係合部材
５１  踏板基部（天板他端部）
５２  踏板伸縮部（天板一端部）
５３  第１の係合部材
５７  伸縮固定穴
６１  覆い部材
６２  係止部材
６３  突起部
７１  連結金具
７３  クランプ部
７５  クランプ係合部
７７  軸部材
８１  支持部
１０１  仮設足場
１０３，１０５，１０７  管部材
３００  脚柱構成部
３５１  ベース
３５３  支持部
３５５  固定用穴
５０３  伸縮部
Ｂ  ベランダ
Ｆ  床面
Ｇ  手摺
Ｔ１，Ｔ２  仮想中心線
【図１】
2020070670.tif 000003
【図２】
2020070670.tif 000004
【図３】
2020070670.tif 000005
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
管部材を有する仮設足場に連結される足場渡り梯子であって、
前記管部材に取り付け可能な第１の端部と、地面に載置可能な第２の端部とを有する脚部材と、
前記管部材に取り付け可能な天板一端部と前記脚部材の第３の端部に連結される天板他端部とを有する天板部材と、を備え、
前記脚部材の仮想中心線が、前記管部材の仮想中心線に平行に延びるように前記脚部材と前記天板部材が連結されていることを特徴とする足場渡り梯子。
【請求項２】
前記脚部材が地面に接離できるように、前記脚部材が伸縮可能であることを特徴とする請求項１に記載の足場渡り梯子。
【請求項３】
前記天板部材は、踏板と前記踏板に対し摺動可能に係合する移動板とを有し、前記踏板と前記移動板とが相対移動することにより前記天板部材の奥行寸法が調整可能であることを特徴とする請求項１又は２に記載の足場渡り梯子。
【請求項４】
前記天板部材への進入を防ぐための立入阻止部材を備え、前記天板部材に対して傾斜する方向に起立可能であることを特徴とする請求項１〜３のいずれか一項に記載の足場渡り梯子。
【請求項５】
前記脚部材への進入を防ぐために前記脚部材を覆う覆い部材を備えることを特徴とする請求項１〜４のいずれか一項に記載の足場渡り梯子。
【請求項６】
前記脚部材は、折り畳み可能な脚柱部から構成されていることを特徴とする請求項１〜５のいずれか一項に記載の足場渡り梯子。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
仮設足場に設置される足場渡り梯子の設置構造であって、
鉛直方向に延びる一対の第１の管部材、及び前記第１の管部材から離間し水平方向に延びる第２の管部材を有する前記仮設足場と、
前記第１の管部材に取り付け可能な係合部材を有し、地面に載置可能な一対の脚部材と、
前記第２の管部材に取り付け可能な天板一端部と前記脚部材に連結される天板他端部とを有する天板部材と、を備え、
前記脚部材が前記係合部材により前記第１の管部材に係合されると、前記脚部材の長手方向に延びる仮想中心線が、前記第１の管部材の長手方向に延びる仮想中心線に平行に延びるように連結されると共に前記天板部材が前記第２の管部材に水平に連結されることを特徴とする足場渡り梯子の設置構造。
【請求項２】
前記脚部材が地面に接離できるように、前記脚部材が伸縮可能であることを特徴とする請求項１に記載の足場渡り梯子の設置構造。
【請求項３】
前記天板部材は、踏板基部と前記踏板基部に対し摺動可能に係合する踏板伸縮部とを有し、前記踏板基部と前記踏板伸縮部とが相対移動することにより前記天板部材の奥行寸法が調整可能であることを特徴とする請求項１又は２に記載の足場渡り梯子の設置構造。
【請求項４】
前記天板部材への進入を防ぐための立入阻止部材を備え、前記天板部材に対して垂直方向に起立可能であることを特徴とする請求項１〜３のいずれか一項に記載の足場渡り梯子の設置構造。
【請求項５】
前記脚部材への進入を防ぐために前記脚部材を覆う覆い部材を備えることを特徴とする請求項１〜４のいずれか一項に記載の足場渡り梯子の設置構造。
【請求項６】
前記脚部材は、折り畳み可能な脚柱部から構成されていることを特徴とする請求項１〜５のいずれか一項に記載の足場渡り梯子の設置構造。